(57)【要約】【課題】ワイヤハーネスの電線と電線保持片とを固定するテープがずれることを確実に防止できる電気接続箱を提供する。【解決手段】電気接続箱１は、ワイヤハーネス４２の複数の電線１６，２７が通される開口部４０と、該開口部４０の縁から立設し複数の電線１６，２７に沿う電線保持片２１と、が設けられたケース２を備えている。複数の電線１６，２７と電線保持片２１とは、テープ３８が巻き付けられることにより互いに固定される。また、電線保持片２１には、テープ３８のずれを防止するずれ防止部３７が設けられている。このずれ防止部３７は、スリット状に形成された複数の貫通穴３６で構成されている。複数の貫通穴３６は、電線保持片２１に沿わされた複数の電線１６，２７の長手方向に沿って設けられている。【選択図】図１
2012165483.tif 000002
【特許請求の範囲】
【請求項１】
ワイヤハーネスの複数の電線が通される開口部と、該開口部の縁から立設し前記複数の電線に沿う電線保持片と、が設けられたケースを備え、前記電線保持片及び前記複数の電線の外周にテープが巻き付けられることにより、前記電線保持片と前記複数の電線とが固定される電気接続箱において、
前記電線保持片に、前記テープのずれを防止するずれ防止部が設けられ、
前記ずれ防止部が、前記電線保持片の前記テープが巻き付けられる外表面から凹に形成された凹部または貫通穴で構成されている
ことを特徴とする電気接続箱。
【請求項２】
前記凹部または前記貫通穴が、前記電線保持片に沿わされる前記複数の電線の長手方向と交差する方向に延びたスリット状に形成されている
ことを特徴とする請求項１に記載の電気接続箱。
【請求項３】
前記凹部または前記貫通穴が、前記電線保持片に沿わされる前記複数の電線の長手方向に沿って複数設けられている
ことを特徴とする請求項１または請求項２に記載の電気接続箱。
【発明の詳細な説明】
【技術分野】
【０００１】
本発明は、自動車のエンジンルームなどに取り付けられる電気接続箱に関するものである。
【背景技術】
【０００２】
自動車には多種多様な電子機器が搭載されている。これら多種多様な電子機器に電力を供給するため、前記自動車には、電源と前記電子機器との間の適宜箇所に電気接続箱が配置されている（特許文献１を参照。）。
【０００３】
また、図９は従来の電気接続箱を示す斜視図である。図１０は図９に示された電気接続箱のケース内にワイヤハーネスが引き込まれた状態を示す平面図である。図１１は図１０に示された電気接続箱の電線保持片とワイヤハーネスの複数の電線とがテープで固定された状態を示す平面図であり、テープが正常に巻き付けられた状態を示す図である。図１２は図１０に示された電気接続箱の電線保持片とワイヤハーネスの複数の電線とがテープで固定された状態を示す平面図であり、テープを巻き損じた状態を示す図である。図１３は図１２に示された電気接続箱における電線保持片近傍の断面図である。
【０００４】
図９に示す電気接続箱２０１は、合成樹脂製のケース２０２と、このケース２０２内に収容された配線ユニットと、を備えている。また、図１０に示すように、前記ケース２０２の周壁２２０には、前記配線ユニットに接続されたワイヤハーネス２４２が導出される開口部２４０と、この開口部２４０の縁から立設した電線保持片２２１及び立設片２３９が設けられている。また、ケース２０２外に導出されたワイヤハーネス２４２は、図１１に示すように、電線保持片２２１、立設片２３９と共に外周にテープ３８が巻き付けられることにより、電線保持片２２１に固定される。
【０００５】
さらに、上記電線保持片２２１には、テープ３８のずれを防止するためのリブ２３７が設けられている。このリブ２３７は、電線保持片２２１における開口部２４０から離れた側の端部に設けられており、電線保持片２２１におけるテープ３８が巻き付けられる外表面から凸に形成されている。また、前述したテープ巻き作業を行う際は、テープ巻き範囲を図１１に示すように電線保持片２２１における開口部２４０側の端部からリブ２３７の手前ぎりぎりの位置までとして、テープ３８がリブ２３７上に乗り上げないように巻く。このようにテープ３８を巻き付けることにより、例えばワイヤハーネス２４２が矢印B方向に引っ張られたとしても、電線保持片２２１に巻き付けられたテープ３８がリブ２３７に引っ掛かることになるので、テープ３８が矢印B方向にずれ落ちて剥がれることを防止できる。
【先行技術文献】
【特許文献】
【０００６】
【特許文献１】特開２００１−３５２６４０号公報
【発明の概要】
【発明が解決しようとする課題】
【０００７】
しかしながら、前述した従来の電気接続箱２０１においては、前述したテープ巻き作業を行う際に、図１２及び図１３に示すようにテープ３８を巻き損じてしまい、テープ３８がリブ２３７上に乗り上げてしまうことがあった。即ち、従来の電気接続箱２０１においては、テープ３８のずれを防止するためのリブ２３７を機能させるためにテープ３８をリブ２３７の手前ぎりぎりの位置まで巻く必要があったので、テープ３８がリブ２３７上に乗り上げてしまうことがあった。このようにテープ３８がリブ２３７上に乗り上げてしまった場合、例えばワイヤハーネス２４２が矢印B方向に引っ張られると、電線保持片２２１に巻き付けられたテープ３８がリブ２３７に引っ掛からずにずれ落ちて剥がれてしまうことがあるという問題があった。また、このようにテープ３８がリブ２３７上に乗り上げてしまった場合、図１３に示すようにテープ３８と電線保持片２２１との間に生じた隙間によってテープ３８が剥がれ易くなってしまうという問題があった。
【０００８】
したがって、本発明は、ワイヤハーネスの電線と電線保持片とを固定するテープがずれることを確実に防止できる電気接続箱を提供することを目的とする。
【課題を解決するための手段】
【０００９】
上記目的を達成するために請求項１に記載された発明は、ワイヤハーネスの複数の電線が通される開口部と、該開口部の縁から立設し前記複数の電線に沿う電線保持片と、が設けられたケースを備え、前記電線保持片及び前記複数の電線の外周にテープが巻き付けられることにより、前記電線保持片と前記複数の電線とが固定される電気接続箱において、前記電線保持片に、前記テープのずれを防止するずれ防止部が設けられ、前記ずれ防止部が、前記電線保持片の前記テープが巻き付けられる外表面から凹に形成された凹部または貫通穴で構成されていることを特徴とする電気接続箱である。
【００１０】
請求項２に記載された発明は、請求項１に記載された発明において、前記凹部または前記貫通穴が、前記電線保持片に沿わされる前記複数の電線の長手方向と交差する方向に延びたスリット状に形成されていることを特徴とするものである。
【００１１】
請求項３に記載された発明は、請求項１または請求項２に記載された発明において、前記凹部または前記貫通穴が、前記電線保持片に沿わされる前記複数の電線の長手方向に沿って複数設けられていることを特徴とするものである。
【発明の効果】
【００１２】
請求項１に記載された発明によれば、前記電線保持片に、前記テープのずれを防止するずれ防止部が設けられ、前記ずれ防止部が、前記電線保持片の前記テープが巻き付けられる外表面から凹に形成された凹部または貫通穴で構成されているので、電線保持片にテープを巻いた際に当該テープが凹部または貫通穴内に食い込み、そのために、テープがずれることを確実に防止できる。また、テープ巻き作業を行う際は、テープが凹部または貫通穴に被さりさえすれば良いので、該テープ巻き作業を容易なものとすることができ、テープの巻き損じを起こり難くすることができる。即ち歩留まりを向上させることができる。また、テープのずれを防止するためのリブを設ける場合と比較して、電線保持片の構成材料の使用量を減らすことができ、軽量化・低コスト化を図ることができる。
【００１３】
請求項２に記載された発明によれば、前記凹部または前記貫通穴が、前記電線保持片に沿わされる前記複数の電線の長手方向と交差する方向に延びたスリット状に形成されているので、テープがずれることをより確実に防止できる。
【００１４】
請求項３に記載された発明によれば、前記凹部または前記貫通穴が、前記電線保持片に沿わされる前記複数の電線の長手方向に沿って複数設けられているので、テープがずれることをより確実に防止できる。
【図面の簡単な説明】
【００１５】
【図１】本発明の一実施の形態にかかる電気接続箱を示す斜視図である。
【図２】図１に示された電気接続箱における電線保持片近傍の拡大図である。
【図３】図１に示された電気接続箱の電線保持片にテープが巻き付けられていない状態を示す斜視図である。
【図４】図３に示された電気接続箱における電線保持片近傍の拡大図である。
【図５】図３に示された電気接続箱の平面図である。
【図６】図３に示された電気接続箱の分解図である。
【図７】図１に示された電気接続箱における電線保持片及びワイヤハーネスに他の巻き方でテープを巻き付けた状態を示す斜視図である。
【図８】図７に示された電気接続箱における電線保持片近傍の拡大図である。
【図９】従来の電気接続箱を示す斜視図である。
【図１０】図９に示された電気接続箱のケース内にワイヤハーネスが引き込まれた状態を示す平面図である。
【図１１】図１０に示された電気接続箱の電線保持片とワイヤハーネスの複数の電線とがテープで固定された状態を示す平面図であり、テープが正常に巻き付けられた状態を示す図である。
【図１２】図１０に示された電気接続箱の電線保持片とワイヤハーネスの複数の電線とがテープで固定された状態を示す平面図であり、テープを巻き損じた状態を示す図である。
【図１３】図１２に示された電気接続箱における電線保持片近傍の断面図である。
【発明を実施するための形態】
【００１６】
本発明の一実施の形態にかかる電気接続箱を、図１〜図６を参照して説明する。本発明の電気接続箱は、自動車のエンジンルームに取り付けられて、前記自動車に搭載された多種多様な電子機器に電力供給及び信号伝送を行うものである。また、本明細書では、ジャンクションブロック（ジャンクションボックス）、ヒューズブロック（ヒューズボックス）、リレーブロック（リレーボックス）を、総称して電気接続箱と呼ぶ。
【００１７】
上記電気接続箱１は、図１及び図６に示すように、ケース２と、このケース２内に収容された配線ユニット３と、を備えている。また、図１〜図６中の矢印Ｔは、後述するアッパカバー４とロアカバー５とが互いに重なる方向でありケース２の高さ方向を表している。また、図１〜図６中の矢印Ｈは、矢印Ｔ方向と直交する方向でありケース２の幅方向を表している。また、図１〜図６中の矢印Ａは、矢印Ｔ方向，矢印Ｈ方向と直交する方向でありケース２の厚み方向を表している。
【００１８】
上記配線ユニット３は、図６に示すように、絶縁板１０と、この絶縁板１０の幅方向Ｈの両端に配置された二つの装着部１２と、これら装着部１２に取り付けられたリレー１８、ヒューズ１９等の電気部品と、ワイヤハーネス４２の電線２７と前記電気部品とを電気接続するバスバ（不図示）と、を備えている。
【００１９】
上記ワイヤハーネス４２は、電源線である電線２７と、この電線２７の端末に接続された端子金具２８と、複数の電線１６と、各電線１６の端末に接続された複数の端子金具（不図示）と、複数の電線１６，２７を内側に通したコルゲートチューブ２２と、で構成されている。また、電線２７の端末に接続された端子金具２８は、前記バスバに重ねられてボルト３１で固定される。また、各電線１６の端末に接続された複数の端子金具は、装着部１２に取り付けられて前記電気部品と接続される。
【００２０】
このような配線ユニット３は、主に、電線２７を介して供給された電力をバスバ及び電気部品を介して各電線１６に分岐する。
【００２１】
上記ケース２は、互いに重ねられて取り付けられるアッパカバー４及びロアカバー５と、ロアカバー５の後述の開口溝４１に取り付けられるサイドカバー１３と、で構成されている。これらアッパカバー４、ロアカバー５、サイドカバー１３は、絶縁性の合成樹脂からなり、周知の射出成形により成形される。
【００２２】
上記アッパカバー４は、平坦な天井壁６と、この天井壁６の外縁それぞれから立設した四つの周壁７と、で構成されている。
【００２３】
上記ロアカバー５は、平坦な底壁８と、この底壁８の外縁それぞれから立設した四つの周壁９と、で構成されている。また、前記四つの周壁９のうち図６中手前側の一つには、アッパカバー４側の縁から底壁８側に凹の上記開口溝４１が形成されている。また、前記一つの周壁９には、開口溝４１の縁からロアカバー５の外側に立設した立設片３９が設けられている。この立設片３９は、円筒を２分割した半円筒形状であり、前記一つの周壁９の底壁８側の端部に配置されている。
【００２４】
上記サイドカバー１３は、平板状のカバー本体２０と、このカバー本体２０の縁から立設した電線保持片２１と、で構成されている。電線保持片２１は、円筒を２分割した半円筒形状に形成されている。サイドカバー１３は、カバー本体２０が上述した開口溝４１の底壁８側の部分を開放状態にするとともに開口溝４１のアッパカバー４側の部分を塞ぐ格好で開口溝４１に取り付けられる。また、サイドカバー１３は、開口溝４１に取り付けられると、電線保持片２１がカバー本体２０からロアカバー５の外側に立設して上述した立設片３９と合わせられる。また、互いに合わせられた立設片３９及び電線保持片２１は円筒形状をなす。
【００２５】
さらに、上記サイドカバー１３は、上述した配線ユニット３の装着部１２に、接着等により一体化されている。
【００２６】
上述のようにサイドカバー１３が開口溝４１に取り付けられることにより形成される開口部４０、即ち「開口溝４１の底壁８側の部分」、は、配線ユニット３に接続されたワイヤハーネス４２の導出口をなす。また、互いに合わせられた立設片３９及び電線保持片２１は、この開口部４０の縁から立設している。
【００２７】
配線ユニット３に接続されたワイヤハーネス４２の複数の電線１６，２７及びコルゲートチューブ２２は、開口部４０、及び、立設片３９と電線保持片２１との間、を通されてケース２外に導出される。この際、立設片３９及び電線保持片２１は、コルゲートチューブ２２の外周に沿う。即ち、立設片３９及び電線保持片２１は、コルゲートチューブ２２を介して複数の電線１６，２７に沿う。さらに、ケース２外に導出された複数の電線１６，２７及びコルゲートチューブ２２は、電線保持片２１と共に外周にテープ３８が巻き付けられることにより、電線保持片２１に固定される。また、前記テープ３８は粘着テープである。
【００２８】
さらに、本発明では、図２〜図５に示すように、電線保持片２１に、テープ３８のずれを防止するずれ防止部３７が設けられている。このずれ防止部３７は、スリット状に形成された複数の貫通穴３６で構成されている。複数の貫通穴３６は、電線保持片２１に沿わされた複数の電線１６，２７の長手方向に沿って設けられている。また、各貫通穴３６は、図５に示すように、電線保持片２１に沿わされた複数の電線１６，２７の長手方向と交差する方向に延びたスリット状に形成されている。
【００２９】
ワイヤハーネス４２及び電線保持片２１にテープ３８を巻き付ける際は、図１，図２に示すように、テープ３８が複数の貫通穴３６に被さるように巻き付ける。このことにより、テープ３８が貫通穴３６内に食い込むので、テープ３８がずれて剥がれることを確実に防止できる。
【００３０】
また、図１，図２においては、テープ巻き範囲が電線保持片２１における開口部４０側の端部から反対側の端部までとなっているが、本発明では、テープ３８が貫通穴３６に被さりさえすれば良く、テープ巻き範囲に厳密な制限がない。例えば、図７，図８に示すように、テープ３８を電線保持片２１における開口部４０側の端部から反対側の端部を越えて電線保持片２１のない所まで巻き付けるようにしても良い。このようにテープ３８を電線保持片２１のない所まで巻き付けることにより、電線保持片２１とコルゲートチューブ２２との間からケース２内に水が入ることを防止できる。
【００３１】
このように本発明では、テープ巻き範囲に厳密な制限がないので、テープ巻き作業を容易なものとすることができ、テープ３８の巻き損じを起こり難くすることができる。即ち歩留まりを向上させることができる。また、本発明では、テープ３８のずれを防止するためのリブ（図１３のリブ２３７を参照。）を設ける場合と比較して、電線保持片２１の構成材料の使用量を減らすことができ、軽量化・低コスト化を図ることができる。さらに、前記貫通穴３６は、テープ３８が電線保持片２１に巻かれることにより塞がれるので、この貫通穴３６からケース２内に水が入ることはない。
【００３２】
上述した電気接続箱１を組み立てる際は、まず、装着部１２にバスバを取り付け、続いてこの装着部１２にリレー１８やヒューズ１９等の電気部品を取り付ける。次に、電線２７の端末に取り付けられた端子金具２８をバスバにボルト固定し、複数の電線１６の端末に取り付けられた端子金具を装着部１２に取り付けて前記電気部品と接続する。そして、複数の電線１６，２７が通されたコルゲートチューブ２２と電線保持片２１の外周にテープ３８を巻き付けてこれらを固定する。そして、配線ユニット３をロアカバー５内に収容するとともにサイドカバー１３を開口溝４１に取り付けた後、ロアカバー５にアッパカバー４を取り付ける。こうして電気接続箱１を組み立てる。
【００３３】
また、上述した実施形態では、ずれ防止部３７が複数の貫通穴３６で構成されていたが、本発明では、ずれ防止部が、一つの貫通穴３６のみで構成されていても良い。また、本発明では、貫通穴３６の代わりに、電線保持片２１のテープ３８が巻き付けられる外表面から凹に形成された凹部を設けても同様の効果を得ることができる。
【００３４】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００３５】
１  電気接続箱
１６，２７  電線
２１  電線保持片
３６  貫通穴
３７  ずれ防止部
３８  テープ
４０  開口部
４２  ワイヤハーネス
【図１】
2012165483.tif 000003
【図２】
2012165483.tif 000004
【図３】
2012165483.tif 000005
【図４】
2012165483.tif 000006
【図５】
2012165483.tif 000007
【図６】
2012165483.tif 000008
【図７】
2012165483.tif 000009
【図８】
2012165483.tif 000010
【図９】
2012165483.tif 000011
【図１０】
2012165483.tif 000012
【図１１】
2012165483.tif 000013
【図１２】
2012165483.tif 000014
【図１３】
2012165483.tif 000015